(57)【要約】【課題】比較的簡単な構成で、どのような作業現場においてもキーボードを両手で操作できる操作性の優れた携帯用電子機器を提供すること。【解決手段】ヒンジを介して開閉可能に構成され、一方の開閉面にはキーボードが設けられて他方の開閉面には表示画面が設けられた携帯用電子機器において、  前記携帯用電子機器のヒンジ近傍の両側面間には首掛け用ベルトが設けられて前記携帯用電子機器の底面には半固定状態で引き出し可能に剛体よりなる保持部材が設けられ、  前記首掛け用ベルトを首に掛けて前記携帯用電子機器を開いた状態で前記保持部材を前記キーボードの両手操作が楽に行える状態まで引き出し、その引き出し端部を作業員の前面に当接させることを特徴とするもの。【選択図】                    図２
2011209797.tif 000002
【特許請求の範囲】
【請求項１】
ヒンジを介して開閉可能に構成され、一方の開閉面にはキーボードが設けられて他方の開閉面には表示画面が設けられた携帯用電子機器において、
前記携帯用電子機器のヒンジ近傍の両側面間には首掛け用ベルトが設けられて前記携帯用電子機器の底面には半固定状態で引き出し可能に剛体よりなる保持部材が設けられ、
前記首掛け用ベルトを首に掛けて前記携帯用電子機器を開いた状態で前記保持部材を前記キーボードの両手操作が楽に行える状態まで引き出し、その引き出し端部を作業員の前面に当接させることを特徴とする携帯用電子機器。
【請求項２】
前記各開閉面はタッチパネルで構成されていることを特徴とする請求項１に記載の携帯用電子機器。
【請求項３】
前記キーボードは、任意に編集できるソフトキーとして構成されていることを特徴とする請求項１または請求項２に記載の携帯用電子機器。
【請求項４】
前記キーボードは、複数の言語が任意に選択できるフルキーボードを含むことを特徴とする請求項１から請求項３のいずれかに記載の携帯用電子機器。
【請求項５】
前記キーボードと表示画面は、携帯用電子機器本体の回転に連動して回転可能に構成されていることを特徴とする請求項１から請求項４のいずれかに記載の携帯用電子機器。
【請求項６】
前記携帯用電子機器は、設備保守作業用の携帯端末であることを特徴とする請求項１から請求項５のいずれかに記載の携帯用電子機器。
【請求項７】
前記携帯用電子機器は、携帯用パソコンであることを特徴とする請求項１から請求項５のいずれかに記載の携帯用電子機器。
【発明の詳細な説明】
【技術分野】
【０００１】
本発明は、携帯用電子機器に関するもので、詳しくは、操作性の改善に関するものである。
【０００２】
従来から、制御弁や伝送器などのフィールド機器で構成されたプラント施設を保守管理するのにあたり、たとえば特許文献１に記載されているように、作業員が表示部とキーボードを有する保守作業用の携帯端末を携帯してフィールド機器が設けられている現場に出向き、携帯端末の表示部に表示される各種の管理画面を監視しながら携帯端末のキーボードを操作して該当するフィールド機器を保守点検調整することが行われている。
【０００３】
また、他の携帯用電子機器として、工事現場などの屋外でも使えるように全天候仕様で設計されたパソコンもある。
【０００４】
ところで、これらの携帯用電子機器を作業員が現場で使用するのにあたっては、携帯用電子機器に設けられているキーボードを両手で操作できることが望ましい。そこで、一般には、携帯用電子機器が作業員に対して所定の位置関係になるように、携帯用電子機器を作業台などに配置することが行われている。
【先行技術文献】
【特許文献】
【０００５】
【特許文献１】特開２００３−２９５９４３号公報
【発明の概要】
【発明が解決しようとする課題】
【０００６】
しかし、作業現場によっては携帯用電子機器を配置するための作業台などを設けるスペースが確保できないこともあり、この場合にはたとえば一方の手で携帯用電子機器を持ちながら他方の手でキーボードを操作しなければならず、操作性はかなり低下することになる。
【０００７】
本発明は、このような従来の問題点に着目したものであり、その目的は、比較的簡単な構成で、どのような作業現場においてもキーボードを両手で操作できる操作性の優れた携帯用電子機器を提供することにある。
【課題を解決するための手段】
【０００８】
このような課題を達成する請求項１の発明は、
ヒンジを介して開閉可能に構成され、一方の開閉面にはキーボードが設けられて他方の開閉面には表示画面が設けられた携帯用電子機器において、
前記携帯用電子機器のヒンジ近傍の両側面間には首掛け用ベルトが設けられて前記携帯用電子機器の底面には半固定状態で引き出し可能に剛体よりなる保持部材が設けられ、
前記首掛け用ベルトを首に掛けて前記携帯用電子機器を開いた状態で前記保持部材を前記キーボードの両手操作が楽に行える状態まで引き出し、その引き出し端部を作業員の前面に当接させることを特徴とする。
【０００９】
請求項２の発明は、請求項１に記載の携帯用電子機器において、
前記各開閉面はタッチパネルで構成されていることを特徴とする。
【００１０】
請求項３の発明は、請求項１または請求項２に記載の携帯用電子機器において、
前記キーボードは、任意に編集できるソフトキーとして構成されていることを特徴とする。
【００１１】
請求項４の発明は、請求項１から請求項３のいずれかに記載の携帯用電子機器において、
前記キーボードは、複数の言語が任意に選択できるフルキーボードを含むことを特徴とする。
【００１２】
請求項５の発明は、請求項１から請求項４のいずれかに記載の携帯用電子機器において、
前記キーボードと表示画面は、携帯用電子機器本体の回転に連動して回転可能に構成されていることを特徴とする。
【００１３】
請求項６の発明は、請求項１から請求項５のいずれかに記載の携帯用電子機器において、
前記携帯用電子機器は、設備保守作業用の携帯端末であることを特徴とする。
【００１４】
請求項７の発明は、請求項１から請求項５のいずれかに記載の携帯用電子機器において、
前記携帯用電子機器は、携帯用パソコンであることを特徴とする。
【発明の効果】
【００１５】
これらにより、携帯用電子機器を配置固定するための作業台を設けるためのスペースが確保できないような作業現場においてもキーボードを両手で操作できる携帯用電子機器が実現できる。
【図面の簡単な説明】
【００１６】
【図１】本発明の一実施例を示す開閉面を閉じた状態の構成説明図である。
【図２】本発明の一実施例の使用状態を示す説明図である。
【図３】本発明の一実施例の開閉面を開いた状態の構成説明図である。
【発明を実施するための最良の形態】
【００１７】
以下、本発明について、図面を用いて説明する。図１〜図３は本発明に係る携帯用電子機器の一実施例を示す説明図であり、プラント施設を構成するフィールド機器保守作業用の携帯端末１００の例を示していて、図１は開閉面を閉じた状態を示し、図２はその使用状態を示し、図３は開閉面を開いた状態を示している。
【００１８】
図１〜図３において、携帯端末１００は、ヒンジ１１０を介して開閉可能に構成されていて、一方の開閉面１２０にはキーボードが設けられ、他方の開閉面１３０には表示画面が設けられている。なお、これら開閉面１２０および１３０はタッチパネルで構成されていて、キーボードは任意に編集できるソフトキーとして構成されている。
【００１９】
開閉面１２０に表示されているキーボードには、図３に示すように、フルキーボード領域１２１、情報系割付キー領域１２２、制御キー領域１２３、ユーザーズキー領域１２４が設けられている。なお、ベゼルには、キーボードの設定を基本状態に設定するためのハードスイッチ１２５が設けられている。
【００２０】
フルキーボード領域１２１は、多言語に対応するように構成されている。具体的には、言語切替キー１２１ａにタッチすることにより、キートップの表示がたとえば日本語→英語→仏語→中国語→独語→西語→露語などそれぞれの言語に対応して切り替わり、各キーから設定された言語に割り当てられたコード信号を入力できる。なお、言語切替キー１２１ａのキートップ表示としては、言語によらず、たとえば唇マークを表示させることが望ましい。
【００２１】
情報系割付キー領域１２２は、開閉面１３０に電子化ビジネスシステムの情報画面や電子化製造システムに関連した各種の情報画面をワンタッチで呼び出し切替表示するとともに各画面表示にリンクした制御が行えるように設定するものであり、プロセス監視／制御キー、スケジュール／在庫管理キー、品質管理キー、原価管理キー、シミュレーション／トレーニングキー、省エネ／環境管理キーが設けられている。なお、図３では、開閉面１３０にプロセス監視／制御画面１３１を主画面として大きく表示し、スケジュール／在庫管理画面１３２、品質管理画面１３３、原価管理画面１３４および省エネ／環境管理画面１３５を副画面として縦方向に並べて縮小表示する例を示している。
【００２２】
制御キー領域１２３には、電子化製造システムのプロセス制御システムにおける所定の操作対象を制御するための複数の操作キーが配列されている。なお、図３では１ループのキー配列例を表示しているが、これら１ループのいずれかのキーに軽くタッチすることにより８ループのキー配列に切り替えることができ、さらに８ループのいずれかのキーに軽くタッチすることにより再び１ループのキー配列に切り替えることができる。
【００２３】
ユーザーズキー領域１２４は、ユーザーが任意に割り付けてパネルやウインドウの呼び出し、アプリケーションプログラムの起動などに用いるワンタッチ操作専用キーである。図３では３２個のキーが表示されているが、これらユーザーズキーのいずれかのキーにタッチした状態で指を左右に動かすことによりキーを最大１２８個までスクロール表示させることができる。また、これら３２個のユーザーズキーのいずれかのキーに軽くタッチすることによりキーの表示は６４個に切り替わり、６４個のユーザーズキーのいずれかのキーに軽くタッチすることによりキーの表示は１２８個に切り替わり、１２８個のユーザーズキーのいずれかのキーに軽くタッチすることによりキーの表示は再び３２個に切り替わる。
【００２４】
このようなタッチパネルは、表面が平坦であることから、このままの状態でフルキーボードをブラインドタッチで操作することはきわめて困難である。この場合には、フルキーボード領域１２１と情報系割付キー領域１２２に、これら領域の各キートップが露出するように複数の窓穴が設けられた透明のプラスチックシートを貼り付けることにより、各キーの位置を窓穴で識別でき、ブラインドタッチ操作が可能になる。
【００２５】
携帯端末１００の開閉面１２０におけるヒンジ１１０部分側の両側面間には、首掛け用ベルト１４０の端部が回転可能に設けられている。
【００２６】
携帯端末１００の底面には、半固定状態で引き出せるように、金属板や合成樹脂などの剛体よりなる保持部材１５０が設けられている。この保持部材１５０の引き出し端部１５１は、作業員の前面に当接するように湾曲部が形成されている。また、保持部材１５０の引き出し端部１５１の近傍には、図示しない壁面や構造物の一部などに設けられているフックに吊り下げるための取付穴１５２が形成されている。
【００２７】
携帯端末１００の上面には、外部との無線伝送による受信情報の有無を点灯表示するランプ１６０および作業現場や保守作業対象であるフィールド機器などを撮影してその画像をインターネットを介して送信するためのウェブカメラ１７０が設けられている。
【００２８】
作業員が現場で携帯端末１００を使用するのにあたっては、図２に示すように、首掛け用ベルト１４０を首に掛けて携帯端末１００の開閉面１２０，１３０をキーボードが操作できるように１２０度程度開いた状態で支持部材１５０をキーボードの両手操作が楽に行える状態まで引き出して半固定状態にし、その引き出し端部１５１を作業員の前面に当接させる。
【００２９】
これにより、携帯端末１００は、作業員の前面に、持部材１５０を介して両手で楽にキーボードの操作が行える状態で固定されることになり、作業員は携帯端末１００を作業台上に配置固定した状態と同様に効率よくキーボードの操作作業を行うことができる。
【００３０】
作業員による携帯端末１００のキーボード操作が不用な場合には、保持部材１５０の引き出し端部１５１の近傍に設けられている取付穴１５２を利用して、図３に示すように開閉面１２０，１３０が水平面になるように１８０度に開いた状態で、図示しない壁面や構造物の一部などに設けられているフックに吊り下げるようにしてもよい。
【００３１】
このように携帯端末１００を上下を反転させて吊り下げることにより、開閉面１２０のキーボードと開閉面１３０の表示画面も上下が反転して入れ替わり、開閉面１２０には上下反転した表示画面が表示され、開閉面１３０には上下反転したキーボードが表示されることになる。この場合には、開閉面１３０のベゼルに設けられているハードスイッチ１３６が、キーボードの設定を基本状態に設定するスイッチとして機能する。
【００３２】
なお、上記実施例では、携帯用電子機器がプラント施設を構成するフィールド機器保守作業用携帯端末の例について説明したが、携帯用パソコンに適用した場合にも同様な効果が得られる。
【００３３】
以上説明したように、本発明によれば、比較的簡単な構成で、どのような作業現場においてもキーボードを両手で操作できる操作性の優れた携帯用電子機器を実現できる。
【符号の説明】
【００３４】
１００  携帯用電子機器（携帯端末）
１１０  ヒンジ
１２０，１３０  開閉面
１２１  フルキーボード領域
１２２  情報系割付キー領域
１２３  制御キー領域
１２４  ユーザーズキー領域
１４０  首掛け用ベルト
１５０  保持部材
１５１  引き出し端部
１５２  取付穴
【図１】
2011209797.tif 000003
【図２】
2011209797.tif 000004
【図３】
2011209797.tif 000005